(57)【要約】      （修正有）【課題】カバー部吊り下げ用のアーム部材が無くても、カバー部をベースユニットに対して支持することができる、天井照明装置を提供する。【解決手段】ベースユニット２とカバー部３の間に、１個以上の吊り下げ機構５を介してカバー部３をベースユニット２に対して吊下自在に設ける。吊り下げ機構５は、ベースユニット２又はカバー部３のどちらか一方の側に、天井照明装置１の短手方向に突出する形に、かつ先端の操作部をバネの作動中心に対して回動自在にする形で設けられた片側コイルバネ７、及び、片側コイルバネ７の復元力が作用した状態で所定の吊下位置で係合保持するバネホルダ６を設け、ベースユニット２又はカバー部３の他方の側に、片側コイルバネ７の操作部を挿入自在に形成された窓を有する固定金具９を設けると共に、固定金具９に挿入状態にある片側コイルバネ７の操作部を係合保持し得るバネ保持部を設けて構成される。【選択図】図８
2019053932.tif 000002
【特許請求の範囲】
【請求項１】
天井に装着し得るベースユニット及び該ベースユニットに着脱自在に装着可能な発光モジュールが内蔵されたカバー部を有する天井照明装置において、
前記ベースユニットとカバー部の間に、１個以上の吊り下げ機構を介して前記カバー部を前記ベースユニットに対して吊下自在に設け、
前記吊り下げ機構は、
前記ベースユニット又はカバー部のどちらか一方の側に、前記天井照明装置の短手方向に突出する形に、かつ先端の操作部をバネの作動中心に対して回動自在にする形で設けられた片側コイルバネ及び、該片側コイルバネの復元力が作用した状態で所定の吊下位置で係合保持するバネホルダを設け、
前記ベースユニット又はカバー部の他方の側に、前記片側コイルバネの操作部を挿入自在に形成された窓を有する固定金具を設けると共に、該固定金具に挿入状態にある前記片側コイルバネの操作部を係合保持し得るバネ保持部を設けて構成したことを特徴とする天井照明装置。
【請求項２】
前記片側コイルバネは、両側にバネ腕を有しており、一方のバネ腕の端部にのみ円環状に形成されたコイル部を有し、他方のバネ腕の端部には係止部が形成されており、前記両バネ腕の先端部には、前記操作部が形成されている、ことを特徴とする請求項１記載の天井照明装置。
【請求項３】
前記バネホルダは、前記片側コイルバネを前記吊下位置で係合保持自在なバネ係合部を有している、ことを特徴とする請求項１記載の天井照明装置。
【請求項４】
前記固定金具は、前記バネ保持部の両側に、該固定金具の天井面にまで食い込んだ形で形成された溝を有する、ことを特徴とする請求項１記載の天井照明装置。
【発明の詳細な説明】
【技術分野】
【０００１】
本発明は、発光モジュールと、該発光モジュールを覆うように配置されるカバー部と、該カバー部を支持すると共に天井に取り付けられるベースユニットと、を備えた天井照明装置に関する。
【背景技術】
【０００２】
従来、天井照明装置（いわゆるベースライトとかシーリングライトと称されるもの）におけるカバー部の開閉構造については種々の提案がなされている（例えば、特許文献１参照）。
【０００３】
特許文献１に開示する装置は、カバー部を天井に取り付けられるベースユニットに対してカバー部の長手方向を回転軸としてヒンジ開放することができ、取り付け作業性が良い反面、開放状態のカバー部をヒンジ部を介してベースユニットに対して吊り下げ支持する必要があり、ヒンジ部を構成するカバー部側に設けられるアーム部材及びベースユニットに形成される当該アーム部材が係合する開口部などが必要となり、装置の構成が複雑化するばかりが、当該開口部を介して塵が侵入してしまうなどの不都合があった。
【０００４】
また、カバー部のベースユニットへの吊り下げに際しては、ベースユニット側に設けられたコイルバネとカバー部に設けられたスプリング係合部と係合させる必要があるが、その際には、作業者がコイルバネの先端を下方に弾性に抗して押し下げている必要があり、それにより作業者の片手が塞がってしまい、作業性が悪化していた。
【特許文献１】特開２０１５−１０３４６３号公報
【発明の概要】
【発明が解決しようとする課題】
【０００５】
本発明は、カバー部吊り下げ用のアーム部材が無くても、ベースユニットに対してカバー部の長手方向を回転軸として開放し、その状態でカバー部をベースユニットに対して支持することができる、天井照明装置を提供することを目的とするものである。
【０００６】
また、本発明は、カバー部の吊り下げに際して、コイルバネを作業者が押し下げている必要の無い、天井照明装置を提供することを別の目的とするものである。
【課題を解決するための手段】
【０００７】
本発明の第１の観点は、天井に装着し得るベースユニット（２）及び該ベースユニット（２）に着脱自在に装着可能な発光モジュールが内蔵されたカバー部（３）を有する天井照明装置（１）において、
前記ベースユニット（２）とカバー部（３）の間に、１個以上の吊り下げ機構（５）を介して前記カバー部（３）を前記ベースユニット（２）に対して吊下自在に設け、
前記吊り下げ機構（５）は、
前記ベースユニット（２）又はカバー部（３）のどちらか一方の側に、前記天井照明装置（１）の短手方向（図４矢印Ｃ、Ｄ方向）に突出する形に、かつ先端の操作部（７ｄ）をバネの作動中心（６ａ）に対して弾性的に回動自在（矢印Ｅ、Ｆ方向）にする形で設けられた片側コイルバネ（７）及び、該片側コイルバネ（７）の復元力が作用した状態で所定の吊下位置で係合保持するバネホルダ（６）を設け、
前記ベースユニット（２）又はカバー部（３）の他方の側に、前記片側コイルバネ（７）の操作部（７ｄ）を挿入自在に形成された窓（９ｃ、９ｄ）を有する固定金具（９）を設けると共に、該固定金具に挿入状態にある前記片側コイルバネ（７）の操作部（７ｄ）を係合保持し得るバネ保持部（９ｆ）を設けて構成したことを特徴として構成される。
【０００８】
本発明の第２の観点は、前記片側コイルバネ（７）は、両側にバネ腕（７ｃ、７ｃ）を有しており、一方のバネ腕（７ｃ）の端部にのみ円環状に形成されたコイル部（７ａ）を有し、他方のバネ腕（７ｃ）の端部には係止部（７ｂ）が形成されており、前記両バネ腕（７ｃ）の先端部には、前記操作部（７ｄ）が形成されている、ことを特徴として構成される。
【０００９】
本発明の第３の観点は、前記バネホルダ（６）は、前記片側コイルバネ（７）を前記吊下位置で係合保持自在なバネ係合部（６ｅ）を有している、ことを特徴として構成される。
【００１０】
本発明の第４の観点は、前記固定金具（９）は、前記バネ保持部（９ｆ）の両側に、該固定金具（９）の天井面（９ｊ）にまで食い込んだ形で形成された溝（９ｇ、９ｇ）を有する、ことを特徴として構成される。  
【発明の効果】
【００１１】
本発明によれば、吊り下げ機構（５）により、カバー部釣り下げ用のアーム部材が無くても、ベースユニット（２）対してカバー部（３）又はベースユニット（２）の長手方向を回転軸として開放し、その状態でカバー部（３）をベースユニット（２）に対して支持することができる。
【００１２】
また、バネホルダ（６）が、片側コイルバネ（７）をカバー部の吊り下げに際して、所定の吊下位置で係合保持することができるので、片側コイルバネ（トーションスプリング）を作業者が押し下げている必要がなくなり、カバー部（３）のベースユニット（２）への吊り下げを簡単に行うことが出来る。  
【００１３】
また、固定金具（９）の天井面（９ｊ）にまで食い込んだ形で形成された溝（９ｇ）により、カバー部（３）は、図８に示す様に、ベースユニット２に対して極端に斜めになることなく（図８の矢印Ｇ方向にカバー部３が更に回転したような状態）、作業に適した開放角度でベースユニット（２）の長手方向を中心に開放支持されることとなる。
【００１４】
なお、括弧内の番号等は、図面における対応する要素を示す便宜的なものであり、従って、本記述は図面上の記載に限定拘束されるものではない。
【図面の簡単な説明】
【００１５】
【図１】図１は、本発明が適用された天井照明装置の一例を示す斜視図。
【図２】図２は、図1の天井照明装置のベースユニットとカバー部の分解斜視図。
【図３】図３は、図1の天井照明装置で、ベースユニットにカバー部を吊り下げた様子を示す斜視図。
【図４】図４は、ベースユニットの一例を示す部分拡大斜視図。
【図５】図5は、固定金具の一例を、異なる４方向から見た斜視図。
【図６】図６は、図1の天井照明装置で、ベースユニットにカバー部を吊り下げた様子を示す斜視図。
【図７】図７は、カバー部がベースユニットに装着された状態の一例を示す断面図。
【図８】図８は、図1の天井照明装置で、ベースユニットにカバー部を吊り下げた様子を示す部分拡大斜視図。
【図９】図９は、片側コイルバネをバネホルダのバネ係合部に係合保持させた状態の一例を示す斜視図。
【発明を実施するための形態】
【００１６】
以下、図面に基づき、本発明の実施例を説明する。
【００１７】
天井照明装置1は、図1及び図２に示す様に、建物の天井部分に装着されるベースユニット２を有しており、ベースユニット２には、図示しない発光ダイオード等からなる発光モジュールが内蔵されたカバー部３が、後述する吊り下げ機構５、５を介して取り付け吊下自在に設けられている。
【００１８】
吊り下げ機構５、５は、図２に示す様に、ベースユニット２とカバー部３との間に設置され、天井照明装置1の長手方向である矢印Ａ、Ｂ方向両側にそれぞれ1カ所ずつ、合計２カ所設けられているが、吊り下げ機構５の設置個数は１個以上、何個でもよい。但し、１個の場合には、天井照明装置１の長手方向中央部に装着することが望ましい。
【００１９】
吊り下げ機構５は、図４及び図８に示す様に、ベースユニット２に装着されたバネホルダ６を有しており、バネホルダ６はコの字状に屈曲形成されたブラケット状のコイル保持部６ａ、該コイル保持部６ａに対向する形で形成されたバネ腕保持部６ｂを有している。バネ腕保持部６ｂには保持穴６ｃが穿設形成されており、コイル保持部６ａ及びバネ腕保持部６ｂの図４下方には、ブラケット６ｄが天井照明装置1の短手方向である矢印Ｃ方向に突出する形で屈曲形成されている。ブラケット６ｄには、爪状に形成されたバネ係合部６ｅが形成されており、更に、コイル保持部６ａ及びバネ腕保持部６ｂ間には、両側にバネ腕７ｃ、７ｃが形成された片側コイルバネ７が、片側コイルバネ７の一方のバネ腕７ｃの端部にのみ円環状に形成されたコイル部７ａを、コイル保持部６ａに挿入係合させ、他方のバネ腕７ｃの先端に形成された係止部である屈曲部７ｂをバネ腕保持部６ｂの保持穴６ｃに陥入係合させた形で設置されている。なお、コイル部７ａがバネの片側にのみ設けられた片側コイルバネ７を使用することで、バネホルダ６の大きさを小型化すること出来る。また、バネ係合部６ｅは、ブラケット６ｄの片側に限らず、図４の両側に設けて、片側コイルバネ７の二つのバネ腕７ｃ、７ｃと係合自在に設けることも可能である。また、コイル保持部６ａの図４及び図９下方には、バネストッパ６ｇか屈曲形成されており、バネストッパ６ｇには片側コイルバネ７のコイル部７ａの末端に伸延形成された延長部７ｅが係合しており、これによりバネストッパ６ｇとコイル保持部６ａとの間で片側コイルバネ７が、矢印Ａ、Ｂ方向、従って、ベースユニット２の長手方向に不用意に移動してコイル保持部６ａから外れてしまわないように係合保持している。
【００２０】
片側コイルバネ７は、２本のバネ腕７ｃ、７ｃが天井照明装置1の短手方向である矢印Ｃ方向に突出する形で形成されており、両バネ腕７ｃ、７ｃの先端部はコの字状に屈曲した操作部７ｄとなっている。操作部７ｄは、図４及び図７に示す様に、操作部７ｄがバネ腕７ｃ、７ｃの延長線よりもカバー部側、従って図７矢印Ｆ方向に屈曲した形に形成されており、これにより片側コイルバネ７は操作部７ｄが天井照明装置１の短手方向で図７上下方向に、コイル部７ａの巻き芯及びバネホルダ６の保持穴６ｃ（バネの作動中心）を中心にして弾性的に回動自在に構成されている。
【００２１】
吊り下げ機構５は、また、図２に示す様に、カバー部３のベースユニット２側に装着された固定金具９を有しており、固定金具９は、図５に示すように、カバー部３と図示しないねじなどの固定手段を介して接続されるブラケット９ａ，９ａを有している。固定金具９は全体が溝状に形成された本体９ｂを有しており、本体９ｂの天井照明装置1の短手方向両側の壁面９ｈ、９ｈには、窓９ｃ、９ｄが穿設されている。固定金具９の、カバー部３の装着時における、ベースユニット２のバネホルダ６側には、図７に示す様に、Ｊ字形に屈曲形成された曲げ部９ｅが設けられており、曲げ部９ｅと本体９ｂ間には溝状のバネ保持部９ｆが天井照明装置1の長手方向（矢印Ａ、Ｂ方向）に形成されている。曲げ部９ｅの両側と窓９ｃの間には、図５（ａ）に示す様に、片側コイルバネ７のバネ腕７ｃ、７ｃの直径よりも大きな幅Ｗ１，Ｗ１で形成された溝９ｇ、９ｇが窓９ｃと空間的に繋がる形で形成されている。溝９ｇ、９ｇは、固定金具９の壁面９ｈを繋ぐ天井面９ｊに図５（ｃ）に示す様に、幅Ｗ２だけ食い込む形で形成されている。
【００２２】
天井照明装置1は以上のような構成を有するので、天井照明装置1を建物の天井などに設置する場合には、まず、図２に示す様に、ベースユニット２を図示しない天井などにアンカーボルト、ネジなどの適宜な固定部材を介して装着固定する。次に発光モジュールが内蔵されたカバー部３を、図２に示すように、カバー部３の長手方向とベースユニット２の長手方向を一致させる形で、作業者がベースユニット２方向に持って移動させるが、この際、ベースユニット２側の各吊り下げ機構５の片側コイルバネ７を、操作部７ｄを、図４の操作部７ｄがベースユニット２の底板２ａ側に位置する状態から矢印Ｆ方向、従って図中下方に片側コイルバネ７の弾性に抗する形で押し下げる。すると、図９に示す様に、片側コイルバネ７は両バネ腕７ｃ、７ｃ間にバネホルダ６のブラケット６ｄを挟み込む形で移動され、更に、ブラケット６ｄのバネ係合部６ｅの図中上部に形成された、ブラケット６ｄの幅が下方に徐々に拡大するように形成された傾斜部６ｆにより、バネ腕７ｃ、７ｃ間の間隔が押し広げられる形で弾性変形し、更に、矢印Ｆ方向に操作部７ｄを押下することで、コイル部７ａ側のバネ腕７ｃが鉤状に形成されたバネ係合部６ｅと係合する。この状態で、操作部７ｄを離すと、片側コイルバネ７はコイル部７ａの弾性により、操作部７ｄをベースユニット２の底板２ａ方向に戻そうとする矢印Ｅ方向の復元力が作用するが、当該復元力によりバネ腕７ｃはバネ係合部６ｅと強固に係合することとなり、片側コイルバネ７は、バネホルダ６により保持された吊下位置に位置決めされることとなる。なお、鉤状に形成されたバネ係合部６ｅは、当該バネ係合部６ｅと係合した片側コイルバネ７が簡単にバネ係合部６ｅから脱出してしまわないように、バネ係合部６ｅの外側に行くほどバネが片側コイルバネ７の弾性に抗して矢印Ｆ方向に押し下げられる形の傾斜面で形成されていたり、更には、バネ腕７ｃが陥入係合することの出来る図示しない係合溝がバネ係合部６ｅに形成されていたりして、当該傾斜面や係合溝等のバネ保持機構でバネ腕７ｃを確実に保持するように構成することも出来る。
【００２３】
この状態で、作業者はカバー部３を持って、図２に示すように、カバー部３の長手方向をベースユニット２の長手方向と合わせる形で、ベースユニット２方向に移動させ、それぞれ吊下位置に位置決めされた片側コイルバネ７の操作部７ｄ、７ｄを、カバー部３の固定金具９、９の窓９ｃ、９ｃ側から窓９ｄ、９ｄへ向けて挿入する。次いで、カバー部３を図６に示す様に下方に下ろし、操作部７ｄ、７ｄを窓９ｃ、９ｃの曲げ部９ｅ，９ｅ内に図８に示す様に係合させ、片側コイルバネ７のバネ腕７ｃ、７ｃを、固定金具９の溝９ｇ、９ｇ内に陥入係合させる。すると、カバー部３は、各固定金具９のバネ保持部９ｆを介して、図３及び図６に示す様に、吊り下げ機構５，５の片側コイルバネ７、７を介して吊り下げられる形でベースユニット２に対して支持される。この際、片側コイルバネ７、７は、バネホルダ６、６のバネ保持部６ｆにより吊下位置に保持されているので、作業者は片側コイルバネ７を下方引き下げた状態で保持している必要が無く、カバー部３の取り付け作業を迅速に行うことが出来る。また、固定金具９の溝９ｇ、９ｇは、図５（ｃ）に示す様に、幅Ｗ２だけ、天井面９ｊに食い込む形で形成されているので、バネ保持部９ｆに保持された片側コイルバネ７は、操作部７ｄの両側の腕７ｃ、７ｃが、固定金具９の天井面９ｊに食い込む形で支持され、カバー部３は、図８に示す様に、ベースユニット２に対して極端に斜めになることなく（図８の矢印Ｇ方向にカバー部３が更に回転したような状態）、作業に適した開放角度でベースユニット２の長手方向を中心に開放支持されることとなる。
【００２４】
この状態で、作業者はベースユニット２とカバー部３間の配線などの必要な設置作業を行うが、カバー部３はベースユニット２に対して長手方向である図３及び図６の矢印Ａ、Ｂ方向に、図中手前側が大きく開かれる形で、斜めに開放される形となり、設置作業を円滑に行うことが出来る。
【００２５】
設置作業が終了すると、作業者は各吊り下げ機構５の片側コイルバネ７のコイル部７ａ側の腕７ｃとブラケット６ｄのバネ係合部６ｅとの係合を、腕７ｃを図９の矢印Ｂ方向へ移動させることで、腕７ｃとバネ係合部６ｅの係合状態を解除する。すると、片側コイルバネ７の弾性により、操作部７ｄが図８矢印Ｅ方向、即ち上方に移動し、それに伴って、固定金具９を介してカバー部３も上方へ移動される。カバー部３が上方に移動するのに合わせて、作業者はカバー部３をベースユニット２と整合させ、図７に示す様に、カバー部３がベースユニット２の適正な収納位置に配置されるように調整する。カバー部３がベースユニット２の適正な収納位置に配置された状態では、図７に示す様に、片側コイルバネ７は、コイル部７ａの弾性により、固定金具９内を操作部７ｄが、窓９ｄを通過する形で、腕７ｃ、７ｃが溝９ｇ、９ｇを介して本体９ｂを図中上方に付勢するので、カバー部３はベースユニット２に対して常に図７上方に押しつけられる形で保持され、図１に示す様に、組立状体が維持されることとなる。なお、片側コイルバネ７のバネ腕７ｃ、７ｃの長さＬ１（図７のコイル部７ａの巻き芯及びバネホルダ６の保持穴６ｃ（バネの作動中心）から、操作部７ｄの先端間の距離）は、固定金具９と該固定金具９の図中左方のベースユニット２との間に形成されるケーブル配置空間１０と干渉しない長さに設定されているので、ベースユニット２及びカバー部３に敷設されたケーブルが片側コイルバネ７の移動によりその敷設状態が乱されることが無い。
【００２６】
なお、点検などで、カバー部３をベースユニット２に対して下方に分離させる場合には、カバー部３をベースユニット２に対して図７下方の矢印Ｆ方向に、引き下げる。すると、吊り下げ機構５の片側コイルバネ７は、バネ腕７ｃ、７ｃが固定金具９の溝９ｇ、９ｇ内を摺動する形で図９矢印Ｆ方向にコイル部７ａの弾性に抗する形で移動し、図３及び図６に示す様に、カバー部３がベースユニット２に対して長手方向を軸にして図中手前側に開放するように移動する。ある程度、カバー部３をベースユニット２に対して下方に移動させると、片側コイルバネ７の腕７ｃが、図９に示す様に、バネ係合部６ｅと係合して片側コイルバネ７を吊下位置に位置決め保持する。すると、カバー部３はベースユニット２に対して、図３及び図６に示す様に、片側コイルバネ７を介して吊下される形で保持されるので、この状態で、作業者は必要な作業を行うことが出来る。
【００２７】
なお、吊り下げ機構５を構成するバネホルダ６、片側コイルバネ７と固定金具９は、上述した実施例とは逆に、カバー部３側にバネホルダ６、片側コイルバネ７を設け、ベースユニット２側に固定金具９を設ける構成でも良い。
【符号の説明】
【００２８】
１……天井照明装置
２……ベースユニット
３……カバー部
５……吊り下げ機構
６……バネホルダ
６ｅ……バネ係合部
７……片側コイルバネ
７ｂ……係止部
７ｃ……バネ腕
７ｄ……操作部
９……固定金具
９ｃ、９ｄ……窓
９ｆ……バネ保持部
９ｇ……溝
９ｊ……天井面
【図１】
2019053932.tif 000003
【図２】
2019053932.tif 000004
【図３】
2019053932.tif 000005
【図４】
2019053932.tif 000006
【図５】
2019053932.tif 000007
【図６】
2019053932.tif 000008
【図７】
2019053932.tif 000009
【図８】
2019053932.tif 000010
【図９】
2019053932.tif 000011